(57)【要約】      （修正有）【課題】湿気や結露に基づくカビの発生を適切に抑制することができる寝具を提供する。【解決手段】床面１に配置された際に床面１に接する接地面１１及び接地面１１から離反して使用者の体圧が入力される受圧面１２を有し、受圧面１２から入力された体圧を分散する寝具１０において、接地面１１に近接して配置されて接地面１１の側からの湿気を吸湿するとともに使用者に起因して発生する受圧面１２の側からの湿気を吸湿する第１層１３、第１層１３に積層されて使用者によって入力される体圧を分散する弾発性を有する第２層１４とを備える。【選択図】図２
2017184815.tif 000002
【特許請求の範囲】
【請求項１】
床面に配置された際に該床面に接する接地面及び該接地面から離反して使用者の体圧が入力される受圧面を有し、該受圧面から入力された前記体圧を分散する寝具において、
前記接地面に近接して配置されて該接地面の側からの湿気を吸湿するとともに前記使用者に起因して発生する前記受圧面の側からの湿気を吸湿する第１層と、
該第１層に積層され、前記使用者によって入力される前記体圧を分散する弾発性を有する第２層と、
を備えることを特徴とする寝具。
【請求項２】
前記第２層は、
綿繊維によって前記床面に対して起立して成形されて前記受圧面と前記第１層との間を連通させる直立綿材を用いて構成され、
前記使用者に起因して発生する前記受圧面の側からの湿気が前記直立綿材を通過して前記第１層に誘導されることを特徴とする請求項１に記載の寝具。
【請求項３】
前記第１層は、
吸湿材料としてシリカゲルが用いられていることを特徴とする請求項１または２に記載の寝具。
【請求項４】
前記第１層で吸湿した湿度量を検知する湿度量センサを備えることを特徴とする請求項１〜３のいずれか１項に記載の寝具。
【発明の詳細な説明】
【技術分野】
【０００１】
本発明は、寝具、特に、床面に配置された際に床面に接する接地面及び接地面から離反して使用者の体圧が入力される受圧面を有し、受圧面から入力された体圧を分散する寝具に関する。
【背景技術】
【０００２】
睡眠時の発汗等により水蒸気が発生して、この水蒸気が敷布団やマット等の寝具に浸透して、寝具が湿気を含むことがある。寝具に湿気が含まれたままの状態にしておくとカビが発生することから、寝具から湿気を除去する必要がある。
【０００３】
特許文献１には、吸湿機能を有する多孔性物質を含んだシート状積層体を備えたマットが開示されている。このマットは、床面側に配置される第１ポリウレタンシート、第１ポリウレタンシートに積層されるシート状積層体、シート状積層体に積層されて使用者側に配置される第２ポリウレタンシートを備える。
【０００４】
この特許文献１のマットによれば、使用者の睡眠時の発汗によってマットに水蒸気が浸透すると、水蒸気による湿気がシート状積層体に吸湿されることから、マットにカビが発生することが抑制される。
【先行技術文献】
【特許文献】
【０００５】
【特許文献１】特開２０００−３４３６３９公報
【発明の概要】
【発明が解決しようとする課題】
【０００６】
ところで、使用者の発汗等により水蒸気が浸透した寝具とこの寝具が配置された床面との間に、比較的大きな温度差が発生するような場合に、寝具と床面との接面に結露が発生することがある。特に、室内の温度低下によって床面の温度も低下する冬期において、このような結露が発生しやすくなる。
【０００７】
かかる結露が発生した場合、特許文献１のマットによれば、吸湿機能を有する多孔性物質を含んだシート状積層体は、床面側に配置された第１ポリウレタンシートの上に積層されていることから、この第１ポリウレタンシートに結露が浸透しても、シート状積層体において結露による湿気を吸湿することができないことが想定される。
【０００８】
したがって、特許文献１のマットによると、第１ポリウレタンシートに浸透した結露による湿気が乾燥されることがないことから、この湿気を起因として、マットにカビが発生することが懸念される。
【０００９】
本発明は、上記事情に鑑みてなされたものであり、湿気や結露に基づくカビの発生を適切に抑制することができる寝具を提供することを課題とするものである。
【課題を解決するための手段】
【００１０】
上記課題を解決するための請求項１に記載の発明による寝具は、床面に配置された際に該床面に接する接地面及び該接地面から離反して使用者の体圧が入力される受圧面を有し、該受圧面から入力された前記体圧を分散する寝具において、前記接地面に近接して配置されて該接地面の側からの湿気を吸湿するとともに前記使用者に起因して発生する前記受圧面の側からの湿気を吸湿する第１層と、該第１層に積層され、前記使用者によって入力される前記体圧を分散する弾発性を有する第２層と、を備えることを特徴とする。
【００１１】
この構成によれば、寝具は、受圧面の側からの湿気を吸湿する第１層を具備することから、受圧面の側から寝具に浸透する、使用者に起因して発生する湿気を、第1層が吸湿する。さらに第1層は、接地面に近接して配置されていることから、接地面の側からの湿気をも効果的に除去することができる。
【００１２】
このように、使用者に起因して発生する受圧面の側からの湿気のみならず、接地面の側からの湿気をも効果的に除去することができることから、寝具にカビが発生することを適切に抑制することができる。
【００１３】
請求項２に記載の発明による寝具は、請求項１に記載の寝具において、前記第２層は、綿繊維によって前記床面に対して起立して成形されて前記受圧面と前記第１層との間を連通させる直立綿材を用いて構成され、前記使用者に起因して発生する前記受圧面の側からの湿気が前記直立綿材を通過して前記第１層に誘導されることを特徴とする。
【００１４】
この構成によれば、受圧面の側からの湿気は、受圧面と第1層との間を連通させる直立綿材に導入されることから、第1層に効率的に誘導される。したがって、第1層による受圧面の側からの吸湿が促進される。
【００１５】
請求項３に記載の発明による寝具は、請求項１または２に記載の寝具において、前記第１層は、吸湿材料としてシリカゲルが用いられていることを特徴とする。この構成によれば、第1層は、汎用性のあるシリカゲルを含有するシート状の吸湿材料によって構成されていることから、寝具の製造に際して吸湿材料の入手が容易であり、簡易に寝具を製造することができる。
【００１６】
請求項４に記載の発明による寝具は、請求項１〜３のいずれか１項に記載の寝具において、前記第１層で吸湿した湿度量を検知する湿度量センサを備えることを特徴とする。この構成によれば、寝具は、第1層で吸湿した湿度量を検知する湿度量センサを具備することから、第1層で吸湿した湿度量を使用者が簡易に検知することができる。
【発明の効果】
【００１７】
この発明によると、受圧面の側からの湿気のみならず、接地面の側からの湿気をも効果的に除去することができることから、寝具にカビが発生することを適切に抑制することができる。
【図面の簡単な説明】
【００１８】
【図１】本発明の実施の形態に係る寝具の概略を説明する図である。
【図２】図１のＩＩ−ＩＩ線断面図である。
【図３】同じく、本実施の形態に係る寝具が、接地面の側からの湿気を吸湿し、かつ使用者に起因して発生する湿気を吸湿する概略を説明する図である。
【図４】敷布団による吸湿作用を試験した実施例１の結果を表した図である。
【図５】同じく、敷布団による吸湿作用を試験した実施例２の結果を表した図である。
【発明を実施するための形態】
【００１９】
次に、図１〜図３を参照して、本発明の実施の形態について説明する。なお、本実施の形態においては、寝具が敷布団１０である場合を例として説明する。
【００２０】
図１は、本実施の形態に係る敷布団１０の概略を説明する図であり、図２は、図１のＩＩ−ＩＩ線断面図である。図示のように、敷布団１０は、床面１に配置されて使用されるものであって、床面１に接する接地面１１、接地面１１から離反して使用者の体圧が入力される受圧面１２を有し、受圧面１２から入力された使用者の体圧を分散する。
【００２１】
この敷布団１０は、床面１に近接して配置される第１層である吸湿材１３、吸湿材１３に積層される第２層である直立綿材１４、及び直立綿材１４に積層されて受圧面１２の側に近接して配置される中綿材１６を主要構成として備える。
【００２２】
吸湿材１３は、本実施の形態では、吸湿機能を有して湿度を調整する多孔性物質であるシリカゲルを含有するシート状の材料によって構成され、床面１の側からの湿気を吸湿するとともに、使用者に起因する受圧面１１の側からの湿気を吸湿する。
【００２３】
直立綿材１４は、本実施の形態ではその厚みが３０ｍｍであって、綿繊維によって、床面１に対して起立する壁部１４ｂにより複数の区画室１４ａに区画されたハニカム状に成形され、区画室１４ａを介して受圧面１２と吸湿材１３との間が連通するように構成されている。
【００２４】
この直立綿材１４は、綿繊維でハニカム状に成形された可撓性を有する壁部１４ｂにより、受圧面１２から入力された使用者の体圧を分散する弾発性を有し、本実施の形態では、不織布１５によって被覆されている。
【００２５】
中綿材１６は、受圧面１２から入力される使用者の体圧を緩衝させる柔軟性に富んだ緩衝材料であって、使用者の寝心地を向上させるものである。
【００２６】
これら吸湿材１３、直立綿材１４及び中綿材１６が、本実施の形態では布帛製の側生地１７によって被覆され、側生地１７によって敷布団１０の外表面が構成されている。この側生地１７によって構成される外表面に、本実施の形態では、上記した接地面１１及び受圧面１２が設定されている。
【００２７】
さらに、敷布団１０には、本実施の形態では、吸湿材１３で吸湿した湿度量を検知する湿度量センサ２０が、接地面１１に設けられている。この湿度量センサ２０は、本実施の形態では、吸湿した湿度量が増大するに従って色合いが変色するように構成されている（例えば、湿度量の増大に伴い、青色から白色に変色し、白色からピンク色に変色する）。
【００２８】
次に、本実施の形態に係る敷布団１０が、接地面１１の側からの湿気を吸湿し、かつ使用者に起因して発生する湿気を吸湿する概略を、図３を用いて説明する。図示のように、例えば、睡眠時における使用者の発汗により水蒸気Ｍが発生すると、この水蒸気Ｍは受圧面１２の側から敷布団１０に浸透して、敷布団１０が湿気を含むこととなる。
【００２９】
具体的には、水蒸気Ｍは、側生地１７によって構成された外表面における受圧面１２から中綿材１６に浸透し、敷布団１０が湿気を含むこととなる。水蒸気Ｍによる湿気は、中綿材１６から直立綿材１４に更に浸透する。
【００３０】
直立綿材１４に浸透した水蒸気Ｍによる湿気は、起立した区画壁１４ｂに沿って区画室１４ａに導入されて、シリカゲルを含有するシート状の吸湿材１３に誘導され、この吸湿材１３によって吸湿される。
【００３１】
一方、受圧面１２の側から浸透した水蒸気Ｍや使用者の体温によって、敷布団１０の温度が上昇した場合において、この敷布団１０と床面１との間に比較的大きな温度差が発生すると、敷布団１０の接地面１１と床面１との接面に結露Ｗが発生することがある。特に、室温の低下によって床面１の温度も低下する冬期において、このような結露Ｗの発生が顕著である。
【００３２】
この結露Ｗが、接地面１１の側から敷布団１０に浸透すると、敷布団１０が湿気を含むこととなるが、本実施の形態では、吸湿材１３が接地面１１に近接して配置されている、すなわち吸湿材１３が、接地面１１が設定された外表面を構成する布帛製の側生地１７に直接的に被覆されていることから、結露Ｗが接地面１１の側から敷布団１０に浸透すると同時に、吸湿材１３によって吸湿される。
【００３３】
この吸湿材１３によって、使用者の発汗により発生した水蒸気Ｍによる湿気や、床面１の結露Ｗによる湿気が吸湿され、吸湿した湿度量が増大すると、その増大した量に伴って、湿度量センサ２０の色合いが変化することとなる。
【００３４】
本実施の形態では、湿度量センサ２０は、例えば、吸湿材１３で吸湿した湿度量の増大に伴い、青色から白色に変色し、白色からピンク色に変色する。すなわち、ピンク色に変色した場合は、吸湿材１３で吸湿可能な湿度量が限度に到達したことを指し示すものであることから、敷布団１０を乾燥させて、吸湿材１３から湿気を除去する。
【００３５】
このように、本実施の形態の敷布団１０は吸湿材１３を具備することから、受圧面１２の側から敷布団１０に浸透する、使用者の発汗により発生した水蒸気Ｍによる湿気を、吸湿材１３が吸湿する。したがって、使用者に起因して発生する受圧面１２の側からの湿気を効果的に除去することができる。
【００３６】
特に、受圧面１２の側から浸透する、使用者に起因する水蒸気Ｍによる湿気は、受圧面１２と吸湿材１３との間を連通するハニカム状の直立綿材１４における区画室１４ａに導入されることから、吸湿材１３に誘導される。したがって、吸湿材１３による受圧面１２の側からの吸湿が促進される。
【００３７】
しかも、この吸湿材１３は、接地面１１が設定された外表面を構成する布帛製の側生地１７に直接的に被覆されて接地面１１に近接して配置されていることから、敷布団１０の接地面１１と床面１との接面に発生した結露Ｗが接地面１１の側から敷布団１０に浸透すると同時に、吸湿材１３によって吸湿される。したがって、接地面１１の側からの湿気を効果的に除去することができる。
【００３８】
このように、使用者に起因して発生する受圧面１２の側からの湿気のみならず、接地面１１の側からの湿気をも効果的に除去することができることから、敷布団１０にカビが発生することを適切に抑制することができる。
【００３９】
吸湿材１３は、本実施の形態では、汎用性のある多孔性物質であるシリカゲルを含有するシート状の吸湿材料によって構成されていることから、敷布団１０の製造に際して吸湿材料の入手が容易であり、簡易に敷布団１０を製造することができる。
【００４０】
さらに、敷布団１０には、本実施の形態では、吸湿材１３で吸湿した湿度量を検知する湿度量センサ２０がその接地面１１に設けられており、吸湿材１３で吸湿した湿度量の増大に伴って色合いが変色することから、吸湿材１３で吸湿可能な湿度量が限度に到達したことを目視で認識することができる。
【００４１】
（実施例）
次に、本発明の実施例を、図４及び図５に基づいて説明する。
【００４２】
（実施例１）
図４は、敷布団１０による吸湿作用を試験した実施例１の結果を表した図である。この試験は、床面１に見立てられたフローリング材、及びこのフローリング材の下に配置されたアイスクーラによって床面１から冷気が入り込むという設定の下において、試験装置Ａ及び試験装置Ｂを用いて、５０分間に亘って行われた。
【００４３】
試験装置Ａは、フローリング材の上に配置された敷布、敷布の上に配置された濡れ布巾、及びこの濡れ布巾の上に被せられる掛布を備える。この試験装置Ａにおける濡れ布巾は、発汗した状態の使用者であると見立てたものであった。敷布には、敷布の湿度量を検知する湿度量センサが設けられていた。
【００４４】
一方、試験装置Ｂは、試験装置Ａにおける敷布に代えて、吸湿機能を有する吸湿材を備えた敷布を用いたが、その余の構成は試験装置Ａと同様の構成であった。
この試験では、湿度が８０％であって室温が２０°の地点はカビが発生する境界点ｘであって、この境界点ｘを超えるとカビが発生するということが所与の条件として設定されていた。
【００４５】
図示のように、試験装置Ａの敷布の湿度Ａは、一点鎖線ｏ１で示されており、試験装置Ａを用いて行われた試験の際の室温Ａは、破線ｑ１で示されている。試験装置Ａによる試験の結果によれば、時間の経過に伴って室温が低下し、室温の低下に伴って敷布の湿度Ａが上昇して境界点ｘを超えた。
【００４６】
したがって、発汗した状態の使用者であると見立てられた濡れ布巾により、敷布に湿気が含まれることとなり、かつ敷布に含まれた湿気と室温Ａとの関係からフローリング材に発生した結露により敷布に湿気が含まれることとなり、試験開始から２１分経過後、これらの湿気によって敷布の湿度Ａが８０％を超えて大きく上昇したことが分かる。
【００４７】
一方、試験装置Ｂの敷布の湿度Ｂは、二点鎖線ｐ１で示されており、試験装置Ｂを用いて行われた試験の際の室温Ｂは、破線ｒ１で示されている。試験装置Ｂによる試験の結果によれば、時間の経過に伴って室温Ｂが低下し、室温Ｂの低下に伴って敷布の湿度Ｂは緩やかに上昇したものの、それは６５％程度を上限とするものであって、境界点ｘを超えることはなかった。
【００４８】
したがって、発汗した状態の使用者であると見立てられた濡れ布巾により、敷布に湿気が含まれることとなったが、この湿気は吸湿材により吸湿され、かつフローリング材に発生した結露により敷布に湿気が含まれることとなったが、この湿気も吸湿材により吸湿され、敷布の湿度Ｂの大幅な上昇が抑制されたことが分かる。
【００４９】
（実施例２）
図５は、敷布団１０による吸湿作用を試験した実施例２の結果を表した図である。この試験は、吸湿材を有さない敷布団を床面１の上に配置して行われた試験Ａ、及び吸湿材１３を有する本発明の実施の形態に係る敷布団１０を床面１の上に配置して行われた試験Ｂとからなる。
【００５０】
試験Ａは、使用者が実際に敷布団に就寝して、４時間に亘って実施された。一方、試験Ｂも、使用者が実際に敷布団１０に就寝して、４時間に亘って実施された。
【００５１】
図示のように、試験Ａの敷布団の湿度Ａは、一点鎖線ｏ２で示されており、室温Ａは破線ｑ２で示されている。試験Ａの結果によれば、室温Ａは試験Ａの続行時間においてほぼ変化がなかったものの、敷布団の湿気は、試験Ａの開始後まもなく急激に上昇して８０％を超え、その後、試験Ａの終了まで、８０％前後を推移する状態であった。
【００５２】
したがって、使用者の発汗によって敷布団に湿気が含まれることとなり、かつ敷布団に含まれた湿気と室温Ａとの関係から床面１に発生した結露により敷布団に湿気が含まれることとなり、試験開始から１２分経過後、これらの湿気によって敷布団の湿度Ａが８０％を超えて大きく上昇したことが分かる。
【００５３】
一方、試験Ｂの敷布団１０の湿度Ｂは、二点鎖線ｐ２で示されており、室温Ｂは破線ｒ２で示されている。試験Ｂの結果によれば、室温Ｂは試験Ｂの続行時間においてほぼ変化がなく、敷布団１０の湿気も、試験Ｂの続行時間においてほぼ変化がなく、６５％前後を推移する状態であった。
【００５４】
したがって、使用者の発汗によって敷布団１０に湿気が含まれることとなったが、この湿気は吸湿材１３により吸湿され、かつフローリング材に発生した結露により敷布団１０に湿気が含まれることとなったが、この湿気も吸湿材１３により吸湿され、敷布団１０の湿度Ｂの大幅な上昇が抑制されたことが分かる。
【００５５】
なお、本発明は上記実施の形態及び実施例に限定されることはなく、発明の趣旨を逸脱しない範囲で種々変更可能である。上記実施の形態及び実施例では、寝具が敷布団１０である場合を説明したが、例えば、使用者が就寝に用いるマットであってもよく、さらには、使用者が着座するクッションであってもよい。
【００５６】
上記実施の形態では、吸湿機能を有して湿度を調整する多孔性物質であるシリカゲルを含有するシート状の材料によって吸湿材１３が構成された場合を説明したが、他の多孔性物質（竹炭、木炭等）を含有するシート状の材料を用いることができる。すなわち、吸湿機能を有する物質あるいは材料であれば、吸湿材に適用することができる。
【００５７】
上記実施の形態では、湿度量センサ２０が、吸湿した湿度量の増大に伴って、青色から白色に変色し、更に白色からピンク色に変色する場合を説明したが、変色する態様はこれに限られるものではなく、各種の変色の態様を適宜選択することができる。
【符号の説明】
【００５８】
１    床面
１０    敷布団（寝具）
１１    接地面
１２    受圧面
１３    第1層（吸湿材）
１４    第2層（直立綿材）
１４ａ    区画室
１４ｂ    壁部
２０    湿度量センサ
Ｍ    水蒸気
Ｗ    結露
【図１】
2017184815.tif 000003
【図２】
2017184815.tif 000004
【図３】
2017184815.tif 000005
【図４】
2017184815.tif 000006
【図５】
2017184815.tif 000007